(57)【要約】      （修正有）【課題】壁またはタイル表面上に貼り付けられることができるボーデュアまたはタイルステッカーの形態の装飾壁材を提供する。【解決手段】壁１、２は、任意選択で壁紙３を備えるが、同様に塗装されることができる。壁１、２上に、周囲ボーデュア４が存在し、周囲ボーデュア４は、例えば、子供に対応する高さに取付けられる。ボーデュア４は、通常、支持本体からなり、支持本体上に、グラフィカル設計５を備えるレンチキュラーフォイルが取付けられる。グラフィカル設計５は任意の特定のテーマを選択することなく輪郭で示すだけである。ボーデュア４は、その後にボンディングシートを備え、こうして壁１、２上に直接貼り付けられることができる。【選択図】図１
0003225104.tif 000002
【実用新案登録請求の範囲】
【請求項１】
壁（１，２）またはタイル表面上に貼り付けられることができるボーデュア（４）またはタイルステッカー（１４）の形態の壁装飾材において、目に見える前側及び後側を有する少なくとも１つの支持本体を備える、壁装飾材であって、
前記目に見える前側の少なくとも一部分は、印刷されたレンチキュラーフォイル及び／または背後に画像を貼り付けられたレンチキュラーフォイルを備えることを特徴とする、壁装飾材。
【請求項２】
前記前側全体はレンチキュラーフォイルからなることを特徴とする、請求項１に記載の壁装飾材。
【請求項３】
異なるグラフィクス要素を有する幾つかのレンチキュラーフォイルは、前記ボーデュア（４）の長さにわたって分散して配設されることを特徴とする、請求項１または２に記載の壁装飾材。
【請求項４】
少なくとも１つのタイル（１２）はレンチキュラーフォイルによって覆われることを特徴とする、請求項１、２、または３に記載の壁装飾材。
【請求項５】
異なるグラフィクス要素を有する幾つかのレンチキュラーフォイルは、前記ボーデュア（４）の長さにわたって離間してまたは連続して配置されることを特徴とする、請求項１から４のいずれか１項に記載の壁装飾材。
【請求項６】
前記レンチキュラーフォイルは、材料ボンド及び／またはフォームフィットによって支持材料に接続されることを特徴とする、請求項１から５のいずれか１項に記載の壁装飾材。
【請求項７】
前記レンチキュラーフォイル及び前記支持本体は、互いに、直接接着される、縫われる、または溶接されることを特徴とする、請求項１から６のいずれか１項に記載の壁装飾材。
【請求項８】
前記レンチキュラーフォイル及び前記支持本体は、エッジストリップによって境界付けされることを特徴とする、請求項１から７のいずれか１項に記載の壁装飾材。
【請求項９】
背後に画像を貼り付けられた前記レンチキュラーフォイルは、前記レンチキュラーフォイルの後で、前記支持本体として役立つ紙繊維及び／または織物様支持層と貼り合わされることを特徴とする、請求項１から８のいずれか１項に記載の壁装飾材。
【請求項１０】
背後に画像を貼り付けられた前記レンチキュラーフォイルのエッジは境界付けされることを特徴とする、請求項１から９のいずれか１項に記載の壁装飾材。
【請求項１１】
前記レンチキュラーフォイルは、前記前側上に接着される、アイロンがけされる、縫われる、または溶接されることを特徴とする、請求項１から１０のいずれか１項に記載の壁装飾材。
【請求項１２】
前記支持本体は、前記支持本体の後側に、圧力感応接着剤を備えることを特徴とする、請求項１から１１のいずれか１項に記載の壁装飾材。
【請求項１３】
圧力感応接着剤は、剥離可能貼り合わせシートを備えることを特徴とする、請求項１から１２のいずれか１項に記載の壁装飾材。
【請求項１４】
圧力感応接着剤を有する前記支持本体は、残留物を全く残すことなく壁表面から剥離され、数回、再使用されることができることを特徴とする、請求項１から１３のいずれか１項に記載の壁装飾材。
【考案の詳細な説明】
【技術分野】
【０００１】
本考案は、壁またはタイル表面上に貼り付けられることができるボーデュアまたはタイルステッカーの形態の壁装飾材に関し、壁装飾材は目に見える前側及び後側を有する少なくとも１つの支持本体を備える。
【背景技術】
【０００２】
室内の壁表面を質素に整備するために、壁表面は、例えば、荒塗り、仕上げ塗りを、またはそうでなければ壁紙を備えることができる。壁紙が使用される場合、家具に対して家具の色に関して調整される塗装は、主要な時間間隔で更に適用され更新される場合がある。特に子供部屋において、子供に適する壁の心地よい装飾を有することが望ましく、壁の心地よい装飾は、趣味または子供が成長するにつれての変化する興味に適合しなければならない。興味は、例えば、スポーツクラブ及び子供が知っているプレーヤーまたはそうでなければ映画ヒーローである場合がある。こうした壁装飾材は、少なくとも１つの壁全体にわたって設けられてもよい。代替法として、適切な高さにおいて壁紙に更に貼り付けられるボーデュアが使用されてもよい。ボーデュアは、しばしば、目に見える前側及び後側を有する紙ウェブからなり、紙ウェブは、例えば、接着剤によって壁表面上に貼り付けられる。よく知られているボーデュアは、例えば、統一されたテーマが与えられるように使用される壁紙に適合するプリントを含む。代替法として、塗装される壁は、或る程度控えめであるが子供の欲求に対応して設計されるボーデュアを備えてもよい。
【０００３】
さらに、例えば、一様の白タイル、ステッカーを装備するバスルームを装飾することが一般的である。そのため、例えば、のりつきのプラスチック材料または転写ピクチャーが使用され、のりつきのプラスチック材料または転写ピクチャーは、後に、タイルからとにかく取外され、彼らの設計オプションによって任意のテイストに適合できる。
【考案の概要】
【考案が解決しようとする課題】
【０００４】
こうしたボーデュアまたはタイルステッカーの魅力を増すために、本考案の基礎にある目的は、特定の光学的要求を満たし、安価に生産されることができるボーデュアまたはタイルステッカーを提供することである。
【課題を解決するための手段】
【０００５】
本考案によれば、問題を解決するために、ボーデュアまたはタイルステッカーの目に見える前側の少なくとも一部分は、印刷されたレンチキュラーフォイル及び／または背後にピクチャーを貼り付けられたレンチキュラーフォイルを有する。さらに、有利な開発は、従属請求項から採用され得る。
【０００６】
ボーデュアまたはタイルステッカーの少なくとも部分的エリアにおいて使用されるレンチキュラーフォイルの使用によって、種々の観察角度から異なるピクチャーを生成することが可能であり、それが、観察者の際立った注目を集め、まさに子供部屋、バスルーム、またはキッチンにおいて、明確な光学的価値形成（ｖａｌｏｒｉｓａｔｉｏｎ）をもたらす。
【０００７】
レンチキュラーフォイルによって達成可能な光学効果は、例えば、３Ｄ効果、ピクチャーの深度画像、スムーズなアニメーションの描写を通したフリップ画像または変化する画像の表示からなる。ここで、述べた効果の組合せが、もちろん同様に可能である。例えば、３Ｄ効果を生成するために、ピクチャーが、シーナリー劇場の場合と全く同じように、個々の深度レベルにおいて作られ、これから、レンチキュラーフォイルの背後に配置される３次元画像が作成される。変化する画像の場合またはアニメーションの場合、対照的に、２つ以上の開始画像が、狭いストリップに分離され、狭いストリップは、レンチキュラーフォイルの後側に隣同士で交互に取付けられる。ここで、通常、特別なソフトウェアによって製作される画像は、レンチキュラーフォイルの後側に配設される。ここで、レンチキュラーフォイルの後側は、光学的に構造化されたフォイル側、すなわちレンズを備えるフォイル側から外方を向く側に対応する。光学効果の複雑さは、画像情報のための基礎として採取される画像であって、レンチキュラーフォイルの後側に印刷されるまたは貼り付けられる画像の数と共に増加する。例えば、２フェーズフリップ画像の場合、２つの画像の組合せで既に十分である。幾つかの画像を処理することによって、マルチフェーズまたは完全モーションシーケンス、しかし同様にズーミングまたはモーフィング効果が表示されることができる。表示は、ここでは、フリップブックの場合と全く同じように、複数の単一画像からセットアップされ、複数の単一画像は、本質的に、スムーズに互いに融合する。ここで、好ましくは、４つの画像を用いる４重アニメーションが使用される。印刷された画像及び／またはボーデュアまたはタイルステッカー上で後に貼り付けられた画像を有するレンチキュラーフォイルを設計することによって、画像は特に光学的に価値形成され、したがって、いずれの場合も観察者の注目を集める。
【０００８】
ボーデュア及びタイルステッカーを共に用いて、レンチキュラーフォイルの使用によって、例えば子供部屋において、無限数の設計オプションを提供する家屋のカスタム化された設計を実施することが可能になる。同じことが、子供または成人のために設けられるバスルームに当てはまり、そのバスルームは、子供のテーマ、または他の設計、例えばサッカークラブまたは他のスポーツクラブであって、人が、それに強くつながり、対応するタイルステッカーによってそのことを立証したいと思う、サッカークラブまたは他のスポーツクラブのロゴを含む。
【０００９】
ここで、特別な実施形態において、前側全体がレンチキュラーフォイルからなり、したがって、テーマにわたって延在する変化する画像がボーデュア全体を横切って配置されることが容易に可能である。しかし、例えば、１つの主題に集中することができる異なるグラフィクス要素を有する幾つかのレンチキュラーフォイルがボーデュアの長さにわたって分散して配設されることが更に同様に可能である。
【００１０】
異なるグラフィクス要素を有する幾つかのレンチキュラーフォイルが、ボーデュア上で離間して配置され、幾つかのレンチキュラーフォイルは互いに直接融合する、または離間することができることが更に可能である。
【００１１】
幾つかのレンチキュラーフォイルは、タイルステッカーである場合、好ましくは、それぞれのタイルのサイズに対応するように適合され、小さいタイルフォーマットならびに大きいタイルフォーマットが共に考慮されてもよい。タイルが大きければ大きいほど、レンチキュラーフォイル及びグラフィカル表示の可能性によって、設計についての範囲が大きくなる。
【００１２】
レンチキュラーフォイルは、ここでは、材料ボンドによって及び／またはフォームフィットによって、特に、レンチキュラーフォイルと支持本体を接着する、縫う、または溶接することによって支持材料に接続されてもよい。
【００１３】
代替法として、レンチキュラーフォイル及び支持本体が、エッジストリップによって境界付けされ、エッジストリップが、任意選択で、バックグラウンド内に存在しほとんど知覚されないような小さい幅を有することが可能である。
【００１４】
更なる好ましい実施形態において、背後に貼り付けられた画像を有するレンチキュラーフォイルは、レンチキュラーフォイルの後で、支持本体として役立つ紙繊維及び／または織物様支持層を貼り合わされ、壁またはタイル表面上に直接貼り付けられてもよい。代替法として、レンチキュラーフォイルを固定するために、後側に画像を有するレンチキュラーフォイルのエッジが境界付けされ、支持本体を包囲することが可能である。レンチキュラーフォイルが、前側上に貼り付けられ、アイロンがけされ、縫われ、または溶接され、それにより、同様に、長い耐久性が確保されることができることが更に可能である。
【００１５】
本考案の更なる好ましい実施形態において、支持本体は、支持本体の後側に、圧力感応接着剤を備え、圧力感応接着剤は、剥離可能貼り合わせシートを装備し、剥離可能貼り合わせシートは、剥離された後、壁またはタイル表面上へのボーデュアまたはタイルステッカーの直接固定を可能にする。
【００１６】
本考案の考えの特定の実施形態において、圧力感応接着剤を有する支持本体は、残留物を全く残すことなく壁またはタイル表面から剥離され、再使用されることができる。それにより、壁表面の改修または変換において、同じボーデュアまたはタイルステッカーがやはり使用され、また任意選択で、壁またはタイル表面上で異なる位置に貼り付けられることができる。
【００１７】
本考案の特徴は、それ自体知られているボーデュアまたはタイルステッカーが、ボーデュアまたはタイルステッカーの少なくとも部分的エリア、好ましくはボーデュアまたはタイルステッカーの全エリアがレンチキュラーフォイルで覆われることによって明確な光学的価値形成を得ることである。ここで使用されるレンチキュラーフォイルは、子供向けのテーマを装備し、３次元キャラクターを有するアニメーション化されたピクチャーを作成し、それにより、こうしたボーデュアまたはタイルステッカーの魅力が増す。後に画像を有するレンチキュラーフォイルは、２次元と３次元の両方の設計を有し、例えば、スポーツテーマまたはよく知られているアスリートを示し、または子供の興味に応じて、よく知られている映画テーマ及び個々の俳優、ならびに際立った注目を伴いかつ興味が変化すると他のキャラクターもしくは画像によって置換わる場合がある、動物、漫画、架空のキャラクター、もしくは漫画キャラクターのグラフィカル表示を含むことができる。
【００１８】
本考案は、図を参照して以下で再び更に説明される。
【図面の簡単な説明】
【００１９】
【図１】２つの壁の空間的表示の斜視図である。
【図２】バスルームの空間的表示の斜視図である。
【考案を実施するための形態】
【００２０】
図１は、部屋の空間的表示を斜視図で示し、この場合、例えば、部屋の角を形成する２つの壁１及び２が示される。壁１、２は、任意選択で壁紙３を備えるが、同様に塗装されることができる。壁１、２上に、周囲ボーデュア４が存在し、周囲ボーデュア４は、例えば、子供部屋について対応する高さに取付けられる。ボーデュア４は、通常、支持本体からなり、支持本体上に、グラフィカル設計５を備えるレンチキュラーフォイルが取付けられる、例えば、貼り付けられる。グラフィカル設計５は図１において任意の特定のテーマを選択することなく輪郭で示すだけである。ボーデュア４は、その後にボンディングシートを備え、こうして壁１、２上に直接貼り付けられることができる。代替法として、例えば、壁紙のために使用される従来の接着材料を使用することが可能である。レンチキュラーフォイルによって作成される設計は、ここでは、ボーデュア４の全長にわたって延在することができるが、レンチキュラーフォイルが、着色によって中断される場合があるボーデュア４上に部分的に存在するだけであることが同様に可能である。そのため、同じまたは異なるタイプの個々のシーケンスを１つのボーデュア４上に設置することが可能である。こうして設計されたボーデュア４によって、部屋、好ましくは子供部屋は、特定の光学的価値形成を得、また部屋は、子供または青年の欲求に従って、スポーツシーンまたはよく知られているアスリート、映画テーマまたは個々の俳優、ならびに、使用されるレンチキュラーフォイルによって、変化する動きのシーケンスを特徴とする、動物、漫画、架空のキャラクター、または漫画キャラクターの表示を含むことができる。
【００２１】
図２は、２つの壁１０、１１を空間的配置で同様に示し、２つの壁１０、１１は、この場合、タイル１２が貼り付けられるバスルーム壁である。示す実施形態において、タイル１２は、壁１０、１１の上側エリアが塗装されるように或る高さまで達するだけである。タイル１２は、ここでは、レンチキュラーフォイルを装備するタイルステッカー１４を部分的に備える。これらのタイルステッカー１４は、テーマ１５を備え、テーマ１５は、或るテーマを示すことなくシンボル的に示されるだけである。タイルステッカー１４の配置は、ここでは、十分に大きな空いた空間が存在しかつ壁にまたは底にサニタリー物体が全く固定されない領域において行われることができる。したがって、バスルームの設計は個々に可能であり、個々の場合に、複数のタイルステッカー１４によって、ある種のボーデュアが列で形成される、または、個々のタイルステッカーの代替の配置によって、任意のパターンが作成されることができる。各タイルステッカーは、例えば、クラブエンブレムまたは選択されたプレーヤー、任意選択で同様に架空のキャラクター、漫画キャラクターまたは漫画が使用されるようにレンチキュラーフォイルを装備する。
【符号の説明】
【００２２】
１  壁
２  壁
３  壁紙
４  ボーデュア
５  設計
１０  壁
１１  壁
１２  タイル
１４  タイルステッカー
１５  テーマ
【図１】
0003225104.tif 000003
【図２】
0003225104.tif 000004
【手続補正書】
【提出日】令和1年12月4日(2019.12.4)
【手続補正１】
【補正対象書類名】実用新案登録請求の範囲
【補正対象項目名】全文
【補正方法】変更
【補正の内容】
【実用新案登録請求の範囲】
【請求項１】
壁（１，２）またはタイル表面上に貼り付けられることができるボーデュア（４）またはタイルステッカー（１４）の形態の壁装飾材において、目に見える前側及び後側を有する少なくとも１つの支持本体を備える、壁装飾材であって、
前記目に見える前側の少なくとも一部分は、印刷されたレンチキュラーフォイル及び／または背後に画像を貼り付けられたレンチキュラーフォイルを備えることを特徴とする、壁装飾材。
【請求項２】
前記前側全体はレンチキュラーフォイルからなることを特徴とする、請求項１に記載の壁装飾材。
【請求項３】
異なるグラフィクス要素を有する幾つかのレンチキュラーフォイルは、前記ボーデュア（４）の長さにわたって分散して配設されることを特徴とする、請求項１または２に記載の壁装飾材。
【請求項４】
少なくとも１つのタイル（１２）はレンチキュラーフォイルによって覆われることを特徴とする、請求項１、２、または３に記載の壁装飾材。
【請求項５】
異なるグラフィクス要素を有する幾つかのレンチキュラーフォイルは、前記ボーデュア（４）の長さにわたって離間してまたは連続して配置されることを特徴とする、請求項１から４のいずれか１項に記載の壁装飾材。
【請求項６】
前記レンチキュラーフォイルは、材料ボンド及び／またはフォームフィットによって支持材料に接続されることを特徴とする、請求項１から５のいずれか１項に記載の壁装飾材。
【請求項７】
前記レンチキュラーフォイル及び前記支持本体は、互いに、直接接着される、縫われる、または溶接されることを特徴とする、請求項１から６のいずれか１項に記載の壁装飾材。
【請求項８】
前記レンチキュラーフォイル及び前記支持本体は、エッジストリップによって境界付けされることを特徴とする、請求項１から７のいずれか１項に記載の壁装飾材。
【請求項９】
背後に画像を貼り付けられた前記レンチキュラーフォイルは、前記レンチキュラーフォイルの後で、前記支持本体として役立つ紙繊維及び／または織物様支持層と貼り合わされることを特徴とする、請求項１から８のいずれか１項に記載の壁装飾材。
【請求項１０】
背後に画像を貼り付けられた前記レンチキュラーフォイルのエッジは境界付けされることを特徴とする、請求項１から９のいずれか１項に記載の壁装飾材。
【請求項１１】
前記レンチキュラーフォイルは、前記前側上に接着される、アイロンがけされる、縫われる、または溶接されることを特徴とする、請求項１から１０のいずれか１項に記載の壁装飾材。
【請求項１２】
前記支持本体は、前記支持本体の後側に、圧力感応接着剤を備えることを特徴とする、請求項１から１１のいずれか１項に記載の壁装飾材。
【請求項１３】
圧力感応接着剤は、剥離可能貼り合わせシートを備えることを特徴とする、請求項１２に記載の壁装飾材。
【請求項１４】
圧力感応接着剤を有する前記支持本体は、残留物を全く残すことなく壁表面から剥離され、数回、再使用されることができることを特徴とする、請求項１２または１３に記載の壁装飾材。